(57)【要約】【課題】従来、ＴＳをネットワークを介して伝送した場合にＴＳに付加されるジッタにより、送信機と受信機の各基準周波数が非同期となり、デコードされた再生画像においてフリーズまたはブロックノイズが発生することがある。【解決手段】ジッタ吸収回路４２は、ＴＣＰ／ＩＰインタフェース４１から入力されたＴＳパケットのパケット間の時間間隔Ｔｔｓ’を、送信機３０内のＭＰＥＧ２エンコーダ３１の出力ＴＳパケットのパケット間の時間間隔Ｔｔｓと同等になるように処理し、ＴＳパケット同士が等時間間隔となったＴＳストリームをＭＰＥＧデコーダ４３に供給する。これにより、ＴＳに付加されたジッタは、ジッタ吸収回路４２で吸収されるため、ＭＰＥＧデコーダ４３でデコードされた再生画像のフリーズまたはブロックノイズの発生を防止できる。【選択図】            図１
2004356858.tif 000002
【特許請求の範囲】
【請求項１】
情報信号を所定の符号化方式で圧縮符号化して得たパケットストリームを、ネットワークへ送信する送信機と、前記パケットストリームを前記ネットワークを介して受信し、元の前記情報信号を復元する受信機とよりなる伝送システムにおいて、
前記送信機は、
前記情報信号を前記所定の圧縮符号化方式で圧縮符号化して得た符号化データを、同期信号と共に一定時間間隔で発生する固定長の第１のパケットに格納する符号化手段と、
複数の前記第１のパケットを分割合成して所定の長さの第２のパケットに格納し、その第２のパケットを前記パケットストリームとして前記ネットワークへ送信する送信手段とを有し、
前記受信機は、
前記ネットワークを介して前記パケットストリームを受信し、受信した該パケットストリームを構成する前記第２のパケットから前記第１のパケットを再合成する受信手段と、
前記受信手段により再合成された前記第１のパケットを入力として受け、該第１のパケット内の前記同期信号に基づいて、該再合成された第１のパケットの時間間隔を前記送信機での時間間隔と同じになるように再生する時間間隔再生手段と、
前記時間間隔再生手段により時間間隔が再生された前記第１のパケットに格納されている前記符号化データを、前記所定の符号化方式に対応した所定の復号方式で復号して、元の前記情報信号を得る復号手段とを有することを特徴とする伝送システム。
【請求項２】
情報信号を所定の符号化方式で圧縮符号化して得たパケットストリームをネットワークへ送信し、前記ネットワークを介して受信した前記パケットストリームから元の前記情報信号を復元する伝送方法において、
前記情報信号を前記所定の圧縮符号化方式で圧縮符号化して符号化データを生成する第１のステップと、
前記符号化データを同期信号と共に一定時間間隔で発生する固定長の第１のパケットに格納する第２のステップと、
複数の前記第１のパケットを分割合成して所定の長さの第２のパケットに格納する第３のステップと、
前記第２のパケットを前記パケットストリームとして前記ネットワークへ送信する第４のステップと、
前記ネットワークを介して前記パケットストリームを受信し、受信した該パケットストリームを構成する前記第２のパケットから前記第１のパケットを再合成する第５のステップと、
前記第５のステップにより再合成された前記第１のパケットの時間間隔を、該第１のパケット内の前記同期信号に基づいて、前記第２のステップでの時間間隔と同じになるように再生する第６のステップと、
前記第６のステップにより時間間隔が再生された前記第１のパケットに格納されている前記符号化データを、前記所定の符号化方式に対応した所定の復号方式で復号して、元の前記情報信号を得る第７のステップと
を含むことを特徴とする伝送方法。
【請求項３】
情報信号を所定の圧縮符号化方式で圧縮符号化して得た符号化データを、同期信号と共に一定時間間隔で発生する固定長の第１のパケットに格納する符号化手段と、
複数の前記第１のパケットを分割合成して所定の長さの第２のパケットに格納し、その第２のパケットを前記パケットストリームとしてネットワークへ送信する送信手段と、
前記ネットワークを介して前記パケットストリームを受信し、受信した該パケットストリームを構成する前記第２のパケットから前記第１のパケットを再合成する受信手段と、
前記受信手段により再合成された前記第１のパケットを入力として受け、該第１のパケット内の前記同期信号に基づいて、該再合成された第１のパケットの時間間隔を前記送信機での時間間隔と同じになるように再生する時間間隔再生手段と、
前記時間間隔再生手段により時間間隔が再生された前記第１のパケットに格納されている前記符号化データを、前記所定の符号化方式に対応した所定の復号方式で復号して、元の前記情報信号を得る復号手段と
を有することを特徴とする伝送装置。
【発明の詳細な説明】
【０００１】
【発明の属する技術分野】
本発明は伝送システム、伝送方法及び伝送装置に係り、特にイーサネット（登録商標）または電波無線などのＬＡＮ（ローカル・エリア・ネットワーク）技術によって、画像、音声、データなどの情報を送受信する伝送システム、伝送方法及び伝送装置に関する。
【０００２】
【従来の技術】
従来より、ＬＡＮ技術によって、画像、音声、データなどの情報を送受信する伝送システムが知られている（例えば、特許文献１参照）。図８はこの従来の伝送システムの一例のシステム構成図を示す。同図において、伝送システムはＬＡＮで接続された送信機１０と受信機２０から構成される。送信機１０は、被写体を撮像して撮像画像をＮＴＳＣ方式カラー映像信号として出力するＮＴＳＣカメラ１１と、被写体からの音声を収音するマイク１２と、高能率圧縮符号化方式の一例としてのＭＰＥＧ２（Ｍｏｖｉｎｇ  Ｐｉｃｔｕｒｅ  Ｅｘｐｅｒｔｓ  Ｇｒｏｕｐ  ｐｈａｓｅ  ２）方式による圧縮符号化を入力信号に対して行うＭＰＥＧ２エンコーダ１３と、入力パケットをＬＡＮへ送信するＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）インタフェース１４とよりなる。
【０００３】
受信機２０は、ＬＡＮへ送信されたパケットを選択受信するＴＣＰ／ＩＰインタフェース２１と、入力パケットをＭＰＥＧ方式に基づき復号するＭＰＥＧデコーダ２２と、復号された画像、音声あるいはデータを表示したり、発音するテレビジョン受像機（ＴＶ）２３とよりなる。
【０００４】
この従来の伝送システムでは、送信機１０内のＮＴＳＣカメラ１１により、送信すべき被写体画像が撮像されてＮＴＳＣ方式カラー映像信号とされてＭＰＥＧ２エンコーダ１３に供給されると共に、送信すべき音声がマイク１２により収音されて電気信号である音声信号に変換されてＭＰＥＧ２エンコーダ１３に供給される。
【０００５】
送信機１０内のＭＰＥＧ２エンコーダ１３は、入力されたカラー映像信号及び音声信号に対してそれぞれＭＰＥＧ２方式に基づく公知の圧縮処理を行い、圧縮処理した得られた画像信号と音声信号に更に所定のデータ（ＩＰアドレスなど）を付加し、これらをプログラムストリーム（ＰＳ）またはトランスポートストリーム（ＴＳ）にパケット化し多重化して、送信機１０内のＴＣＰ／ＩＰインタフェース１４に供給する。
【０００６】
ＴＣＰ／ＩＰインタフェース１４は、入力パケットをＴＣＰパケットおよびＩＰパケットに分離合成すると共に、ＬＡＮへの接続を管理し、接続を確立したノードすなわち受信機２０に対して伝送すべくＴＣＰ／ＩＰパケットをＬＡＮ上に送信する。
【０００７】
受信機２０内のＴＣＰ／ＩＰインタフェース２１は、ＬＡＮ上を流れる様々なパケットの中から、接続を確立している送信機１０からのＴＣＰ／ＩＰパケットを選択格納すると共に、ＴＣＰパケットからペイロードであるＭＰＥＧ−ＰＳまたはＴＳを取り出して、ＭＰＥＧデコーダ２２に供給する。
【０００８】
ＭＰＥＧデコーダ２２は、ＴＣＰ／ＩＰインタフェース２１より入力されたＰＳまたはＴＳから圧縮された画像信号と音声信号と付カロデータを分離し、画像信号と音声信号の各々はＭＰＥＧ方式に基づき復号してＮＴＳＣ方式カラー映像信号と音声信号に再生して、受信機２０内のＴＶ２３に供給して画像表示及び音声発音させる。
【０００９】
【特許文献１】
特開２００１−２４６５６号公報
【００１０】
【発明が解決しようとする課題】
しかるに、上記の従来の伝送システムでは、ＤＶＤ（Ｄｉｇｉｔａｌ  Ｖｅｒｓａｔｉｌｅ  Ｄｉｓｋ）等の蓄積メディアで一般的なＰＳを伝送しようとした場合には、送信機１０からはＭＰＥＧ２エンコーダ１３内の基準発振器の周波数を、ＬＡＮを経由して受信機２０に伝送することができないため、受信機２０のＭＰＥＧデコーダ２２内の基準発振器の基準周波数と送信機１０のＭＰＥＧ２エンコーダ１３内の基準周波数が非同期となり、ＭＰＥＧデコーダ２２でデコードされた再生画像においてはフリーズまたはブロックノイズ発生といった障害が発生することがある。
【００１１】
他方、上記の伝送システムでＴＳを伝送しようとした場合には、ＴＳ内のＰＣＲのタイムスタンプ情報がＬＡＮ経由でも伝達されることによって、受信機２０のＭＰＥＧデコーダ２２内の基準発振器の基準周波数が送信機１０のＭＰＥＧ２エンコーダ１３内の基準発振器の基準周波数に同期しようとする。
【００１２】
しかし、ＴＣＰ／ＩＰパケットにＴＳが分離または結合されて格納され伝送されるため、受信機２０のＴＣＰ／ＩＰインタフェース２１で取り出したＴＳパケットにおいては、パケット間の時間間隔が送信機１０におけるＴＳの時間間隔と異なる所謂ジッタが付加され、そのジッタが受信機２０内の基準周波数の同期をとる機能をもつＭＰＥＧデコーダ２２内の位相同期ループ（ＰＬＬ）の追従可能範囲を超えたときは送信機１０の基準周波数と受信機２０の基準周波数とが非同期となり、ＭＰＥＧデコーダ２２でデコードされた再生画像においてフリーズまたはブロックノイズ発生といった障害が発生することがある。
【００１３】
本発明は、以上の点に鑑みなされたもので、ＬＡＮ経由でＭＰＥＧのストリーム、特にＴＳを安定して送受信し得る伝送システム、伝送方法及び伝送装置を提供することを目的とする。
【００１４】
【課題を解決するための手段】
本発明の伝送システムは上記の目的を達成するため、情報信号を所定の符号化方式で圧縮符号化して得たパケットストリームを、ネットワークへ送信する送信機と、パケットストリームをネットワークを介して受信し、元の情報信号を復元する受信機とによりなる伝送システムにおいて、
上記の送信機は、情報信号を所定の圧縮符号化方式で圧縮符号化して得た符号化データを、同期信号と共に一定時間間隔で発生する固定長の第１のパケットに格納する符号化手段と、複数の第１のパケットを分割合成して所定の長さの第２のパケットに格納し、その第２のパケットをパケットストリームとしてネットワークへ送信する送信手段とを有する構成とし、
上記の受信機は、ネットワークを介してパケットストリームを受信し、受信したパケットストリームを構成する第２のパケットから第１のパケットを再合成する受信手段と、受信手段により再合成された第１のパケットを入力として受け、第１のパケット内の同期信号に基づいて、再合成された第１のパケットの時間間隔を送信機での時間間隔と同じになるように再生する時間間隔再生手段と、時間間隔再生手段により時間間隔が再生された第１のパケットに格納されている符号化データを、所定の符号化方式に対応した所定の復号方式で復号して、元の情報信号を得る復号手段とを有する構成としたものである。
【００１５】
また、上記の目的を達成するため、本発明の伝送方法は、情報信号を所定の符号化方式で圧縮符号化して得たパケットストリームをネットワークへ送信し、ネットワークを介して受信したパケットストリームから元の情報信号を復元する伝送方法において、情報信号を所定の圧縮符号化方式で圧縮符号化して符号化データを生成する第１のステップと、符号化データを同期信号と共に一定時間間隔で発生する固定長の第１のパケットに格納する第２のステップと、複数の第１のパケットを分割合成して所定の長さの第２のパケットに格納する第３のステップと、第２のパケットをパケットストリームとしてネットワークへ送信する第４のステップと、ネットワークを介してパケットストリームを受信し、受信したパケットストリームを構成する第２のパケットから第１のパケットを再合成する第５のステップと、第５のステップにより再合成された第１のパケットの時間間隔を、第１のパケット内の同期信号に基づいて第２のステップでの時間間隔と同じになるように再生する第６のステップと、第６のステップにより時間間隔が再生された第１のパケットに格納されている符号化データを、所定の符号化方式に対応した所定の復号方式で復号して、元の情報信号を得る第７のステップとを含むことを特徴とする。
【００１６】
また、第３の発明の伝送装置は、情報信号を所定の圧縮符号化方式で圧縮符号化して得た符号化データを、同期信号と共に一定時間間隔で発生する固定長の第１のパケットに格納する符号化手段と、複数の第１のパケットを分割合成して所定の長さの第２のパケットに格納し、その第２のパケットをパケットストリームとしてネットワークへ送信する送信手段と、ネットワークを介してパケットストリームを受信し、受信したパケットストリームを構成する第２のパケットから第１のパケットを再合成する受信手段と、受信手段により再合成された第１のパケットを入力として受け、第１のパケット内の同期信号に基づいて、再合成された第１のパケットの時間間隔を送信機での時間間隔と同じになるように再生する時間間隔再生手段と、時間間隔再生手段により時間間隔が再生された第１のパケットに格納されている符号化データを、所定の符号化方式に対応した所定の復号方式で復号して、元の情報信号を得る復号手段とを有する構成としたものである。
【００１７】
上記の本発明の伝送システム、伝送方法及び伝送装置では、符号化データを同期信号と共に一定時間間隔で発生する固定長の第１のパケットに格納し、その第１のパケットを複数分割合成して所定の長さの第２のパケットに格納してから、その第２のパケットからなるパケットストリームをネットワークを介して送受信し、受信した第２のパケットから第１のパケットを再合成し、再合成した第１のパケットの時間間隔を第１のパケット内の同期信号に基づいて、送信側と同じ時間間隔に再生するようにしたため、ネットワークの伝送の際に生じる第１のパケットの遅延時間の揺らぎを吸収できる。
【００１８】
【発明の実施の形態】
次に、本発明の実施の形態について図面と共に説明する。図１は本発明になる伝送システム及び伝送装置の一実施の形態の構成図を示す。同図中、図８と同一構成部分には同一符号を付してある。図１に示す実施の形態の伝送システムは、送信機３０と受信機４０とがＬＡＮを介して接続された構成である。送信機３０は、被写体を撮像して撮像画像をＮＴＳＣ方式カラー映像信号として出力するＮＴＳＣカメラ１１と、被写体からの音声を収音するマイク１２と、高能率圧縮符号化方式の一例としてのＭＰＥＧ２方式による圧縮符号化を入力信号に対して行いＴＳ（ｆｕｌｌ  ＴＳ）のみを出力するＭＰＥＧ２エンコーダ３１と、入力パケットをＬＡＮへ送信するＴＣＰ／ＩＰインタフェース３２とよりなる。
【００１９】
受信機４０は、ＬＡＮへ送信されたパケットを選択受信するＴＣＰ／ＩＰインタフェース４１と、入力パケットのジッタを吸収するジッタ吸収回路４２と、ＭＰＥＧ方式に基づき復号するＭＰＥＧデコーダ４３と、復号された画像、音声あるいはデータを表示したり、発音するテレビジョン受像機（ＴＶ）２３とよりなる。
【００２０】
本実施の形態の伝送システムでは、送信機３０内のＭＰＥＧ２エンコーダ３１は、ＮＴＳＣカメラ１１からのＮＴＳＣ方式カラー映像信号と、マイク１２からの音声信号とを入力として受け、それらをＭＰＥＧ２方式に基づいて圧縮処理し、圧縮処理により得られた画像信号と音声信号に、更に所定のデータを付加して、それらをＴＳにパケット化し多重化して、ＴＣＰ／ＩＰインタフェース３２に供給する。
【００２１】
ＴＣＰ／ＩＰインタフェース３２は、ＭＰＥＧ２エンコーダ３１から入力された多重化されたＴＳパケットを、ＴＣＰパケットおよびＩＰパケットに分離合成すると共に、ＬＡＮへの接続を管理し、接続を確立したノード、すなわち、受信機４０に対して伝送すべくＴＣＰ／ＩＰパケットをＬＡＮ上に送信する。
【００２２】
図２は送信機３０にて発生する信号のタイムチャートを示す。図２（Ａ）はＭＰＥＧ２エンコーダ３１で発生されるＴＳパケットを示し、一つのＴＳパケットは１バイトの同期信号と、それに続くヘッダおよびペイロードなどの１８７バイトとからなる計１８８バイトで構成されている。そして、図２（Ｂ）に示すＴＳパケットの時間間隔Ｔｔｓは、放送などの多番組を含むストリームから１番組を抜き出したパーシャルストリームでは様々な値をとるが、ＴＳのみからなる本発明ではこの時間間隔ｔｓは常に一定になるようにＭＰＥＧ２エンコーダ３１の多重化処理を動作させる。
【００２３】
すなわち、エンコーダの設定に「ビットレート制御」という制御項目があり、可変レート（略称ＶＢＲ；ＤＶＤ用など）と固定レート（略称ＣＢＲ；放送やディジタルＶＴＲ用など）の２通りを選択できるようになっているので、固定レートを選択することにより、上記の時間間隔ｔｓが常に一定になるように、ＭＰＥＧ２エンコーダ３１の多重化処理が動作する。
【００２４】
また、図２（Ｃ）に示すように、ＴＣＰ／ＩＰインタフェース３２によりＴＳが格納されるＴＣＰパケットのペイロードは最大１４４０バイトであり、ＴＳのバイト数１８８とは整数倍の関係にないため、１４４０バイトのペイロードにはＴＳが７パケット分（＝１３１６バイト）と８パケット目の１２４バイト（すなわち、７＋αパケット）が格納される。
【００２５】
しかしながら、ＴＣＰパケット長はその時々のＬＡＮの状況により一定でない可変長であるため、ＴＳの格納数およびＴＣＰパケットとＴＳパケットの位相関係も一定しない。つまり、ＴＣＰパケットのペイロード先頭バイトがＴＳの同期バイトとは限らない。
【００２６】
再び図１に戻って説明するに、受信機４０内のＴＣＰ／ＩＰインタフェース４１は、接続を管理すると共にＬＡＮ上を流れる様々なパケットの中から接続を確立している送信機３０からのパケットを選択する。そして、ＴＣＰ／ＩＰインタフェース４１は、選択受信したＴＣＰパケットからペイロードであるＭＰＥＧ−ＰＳまたはＴＳパケットを取り出して、本実施の形態の要部である後述する構成のジッタ吸収回路４２にＴＳを供給する。
【００２７】
図３は上記ＴＣＰ／ＩＰインタフェース４１から取り出されたＴＳパケットを示す。前述のように、ＴＣＰパケットのペイロードに格納されるＴＳパケットのパケット数および位相関係は一定しないことがあるため、図３（Ｂ）に示す受信機４０内のＴＣＰ／ＩＰインタフェース４１の出力におけるＴＳパケット同士の時間間隔Ｔｔｓ’は、図２（Ｂ）に示した送信機３０内のＭＰＥＧ２エンコーダ３１の出力でのＴＳパケット同士の時間間隔Ｔｔｓとは異なり、偏りが発生する。
【００２８】
また、ＬＡＮ上でのパケットの伝送時間はそのときどきで異なり、いわゆる遅延時間の揺らぎが有るため、図３（Ａ）に示すように、ＴＣＰ／ＩＰパケット間の時間間隔Ｔｔｃｐｉｐ’は、図２（Ｃ）に示した送信機３０内のＴＣＰ／ＩＰパケット間の時間間隔Ｔｔｃｐｉｐとは異なるときがあり、それは受信機４０内のＴＣＰ／ＩＰインタフェース４１の出力のＴＳパケット同士の時間間隔の揺らぎに反映されるときがある。
【００２９】
そこで、図１に示すジッタ吸収回路４２は、ＴＣＰ／ＩＰインタフェース４１から入力されたＴＳパケットのパケット間の時間間隔Ｔｔｓ’を、送信機３０内のＭＰＥＧ２エンコーダ３１の出力ＴＳパケットのパケット間の時間間隔Ｔｔｓと同等になるように処理し、ＴＳパケット同士が等時間間隔となったＴＳストリームをＭＰＥＧデコーダ４３に供給する。このジッタ吸収回路４２は、従来と同様にＭＰＥＧデコーダ４３が有するジッタ吸収能力の例えば２００〜１０００倍程度のジッタ吸収能力を有する。
【００３０】
図４はＴＳパケット間の時間間隔を一定にするジッタ吸収回路４２の一実施の形態のブロック図を示す。図４に示すように、ジッタ吸収回路４２は、ＴＳストリームが入力されるＦＩＦＯメモリ４２１及び同期分離回路４２２と、位相比較器４２３、低域フィルタ（ＬＰＦ）４２４、電圧制御型水晶発振器（ＶＣＸＯ）４２５及び分周回路４２６からなるフィードバックループ回路であるＰＬＬ回路と、ＶＣＸＯ４２５の出力信号が分周回路４２６と共に入力されて分周し、読み出しクロックをＦＩＦＯメモリ４２１へ出力する分周回路４２７とから構成されている。
【００３１】
次に、このジッタ吸収回路４２の動作について図５のタイムチャートと共に説明する。図４のＦＩＦＯメモリ４２１に入力された時間間隔の偏りと揺らぎをもつ、図５（Ａ）に模式的に示すＴＳストリームは、入力ＴＳとしてＦＩＦＯメモリ４２１と同期分離回路４２２にそれぞれ供給される。ＦＩＦＯメモリ４２１に供給される書き込みクロックは、ＴＳのデータが存在するときＴＣＰ／ＩＰインタフェース４１が発生し、ＦＩＦＯメモリ４２１の入出力がバイト単位ならバイトクロックとなる。パケット間のデータの無い期間では書き込みクロックは発生させない。この様子を図５（Ｃ）に示す。
【００３２】
一方、図４の同期分離回路４２２はＴＳパケットの冒頭にある同期信号（同期バイト）を検出し、図５（Ｂ）に示すように同期信号が存在するときにアサートする出力を発生して、位相比較器４２３に供給する。位相比較器４２３は、図５（Ｄ）に示す後述の分周回路４２６の出力信号と同期分離回路４２２の出力信号との位相を比較し、その位相比較結果をＬＰＦ４２４に供給する。ＬＰＦ４２４は位相比較器４２３からの入力信号の低域周波数成分をＶＣＸＯ４２５に周波数制御電圧として供給し、その出力発振周波数を可変制御する。
【００３３】
ＶＣＸＯ４２５の出力信号は分周回路４２７によって分周されてＦＩＦＯメモリ４２１に読み出しクロックとして供給されると共に、分岐されて前述の分周回路４２６に供給される。分周回路４２７はＶＣＸＯ４２５の出力信号周波数を書き込みクロックの周波数と同じ周波数の読み出しクロック、すなわちバイトクロックに分周する。分周回路４２６は、ＶＣＸＯ４２５の出力信号をＴＳパケットの周波数と同じ周波数に分周する。
【００３４】
位相比較器４２３、ＬＰＦ４２４、ＶＣＸＯ４２５及び分周回路４２６からなるＰＬＬ回路の応答特性は、ＬＰＦ４２４の遮断周波数並びにループゲインによって定まるが、これをＴＳパケット同士の時間間隔の偏りおよび揺らぎに対して十分低くすることにより、分周回路４２６の出力でみると図５（Ｄ）に示すような均一な時間間隔となる信号をＶＣＸＯ４２５から出力することができるため、ＶＣＸＯ４２５の出力信号を分周する分周回路４２７からは、同図（Ｅ）に模式的に示すように、ジッタの無い安定した読み出しクロックを取り出すことができる。
【００３５】
例えば、送信機３０内のＭＰＥＧ２エンコーダ３１で発生するＴＳストリームの伝送レートが３Ｍｂｐｓとすると、ＴＳパケットの時間間隔Ｔｔｓは約０．５０１３３ｍｓｅｃ（＝１／（３００００００／１８８／８））であり、これに上記のＰＬＬ回路で追従させるには、例えばＶＣＸＯ４２５の出力発振周波数の中心周波数を２７ＭＨｚとすると、分周回路４２６の分周比は１３５３６（＝２７００００００／（１／０．０００５０１３３））になる。なお、分周回路４２７の分周比は、１６９２（＝１３５３６／８）となる。
【００３６】
また、ＬＡＮ上の伝送でＴＳパケットの時間間隔にカロわる偏りおよび揺らぎが数ｍｓとすると、上記ＰＬＬ回路の応答を数Ｈｚ〜数１０Ｈｚに設定することにより、ＰＬＬ回路内のＶＣＸＯ４２５からは揺らぎの影響の無い、安定したクロックが得られる。このようにしてＶＣＸＯ４２５から出力された安定したクロックを、分周回路４２７で分周して前述のＦＩＦＯメモリ４２１に読み出しクロックとして供給し、ＦＩＦＯメモリ４２１から安定した読み出しクロックに基づいてＴＳパケットを読み出すことで、入力ＴＳの時間変動の緩衝機能、すなわちジッタ吸収処理を実現させることができる。このようにして、ＦＩＦＯメモリ４２１から図５（Ｆ）に示すように均一時間間隔Ｔｔｓが再生されたＴＳパケットのストリーム出力を得ることができる。
【００３７】
再び図１に戻って説明するに、ＭＰＥＧデコーダ４３は、上記のジッタ吸収回路４２により均一時間間隔Ｔｔｓが再生されたＴＳパケットのみからなるＴＳストリームが供給され、このＴＳストリームから圧縮された画像信号と音声信号と付加データを分離し、画像信号と音声信号の各々を復号してＮＴＳＣ方式カラー映像信号と音声信号を再生し、テレビジョン受信機２３に供給して、画像表示及び音声発音を行わせる。
【００３８】
なお、上記のようにしてジッタ吸収回路４２によりＴＳパケットの安定した伝送を得ることができるため、本発明では特別なタイムスタンブなどを付カロすることなく、すなわちオーバーヘッドが増加しない伝送をすることができる。このことにより、ネットワーク伝送系として有線のイーサネット（登録商標）（Ｅｔｈｅｒｎｅｔ（登録商標））のみならず、図６に示すように８０２．１１ｂなどの無線ネットワークなどの狭帯域の伝送路にも適用できる。
【００３９】
図６に示す本発明の他の実施の形態の伝送システムは、送信機５０と受信機６０とが米国電気電子技術者協会（ＩＥＥＥ）の８０２．１１委員会が策定した無線ＬＡＮの規格８０２．１１ａ、８０２．１１ｂ又は８０２．１１ｇを満足する無線ＬＡＮを介して接続されている。同図中、図１と同一構成部分には同一符号を付し、その説明を省略する。
【００４０】
図６において、送信機５０には送信機３０に比較してＮＴＳＣカメラ１１の代わりにＶＧＡイメージセンサ５１及びＩＰスキャンコンバート５２が設けられ、ＴＣＰ／ＩＰインタフェース３２と無線ＬＡＮとの間に送信ユニット５３が設けられている。また、受信機６０には、受信機４０に比較して無線ＬＡＮに接続された受信ユニット６１が設けられている。
【００４１】
本実施の形態の動作について説明する。送信機５０ではＶＧＡイメージセンサ５１によりプログレッシブスキャンで撮像して得られた画像信号がＩＰスキャンコンバート５２に供給され、ここでインターレーススキャンに走査方式が変換された後、ＭＰＥＧ２エンコーダ３１に供給される。
【００４２】
送信ユニット５３は無線ＬＡＮの規格に対応したフォーマットの信号を無線ＬＡＮへ送信し、受信ユニット６１は無線ＬＡＮの規格に対応したフォーマットの信号を受信する。受信ユニット６１で受信された信号は、以後図１の実施の形態の受信機４０と同様の信号処理が施される。この実施の形態では、ポータブルな装置が可能となることを活用して送信側のＭＰＥＧ２エンコーダ３１の入力を小型のＶＧＡイメージセンサ５１を用いている。
【００４３】
図７は本発明になる伝送システムの更に他の実施の形態のシステム構成図を示す。同図中、図６と同一構成部分には同一符号を付し、その説明を省略する。この実施の形態では送信機６０と受信機７０とが無線ＬＡＮを介して接続されており、送信機５０は図６の伝送システムと同一であるが、受信機７０は図６の受信機６０と異なり、ＭＰＥＧデコーダ４３に代えてＩＥＥＥ１３９４インタフェース７１と、Ｄ−ＶＨＳ規格のディジタルＶＴＲ７２及びディジタル放送信号の受信装置であるセットトップボックス（ＳＴＢ）７３とを設けた点に特徴がある。
【００４４】
すなわち、本実施の形態では、ＴＳを伝送できることにより、受信機７０ではジッタ吸収回路４２によりジッタが吸収されたＴＳをＩＥＥＥ１３９４インタフェース７１によってアイソクロナス伝送することが容易になり、そのことによってＤ−ＶＨＳ規格のディジタルＶＴＲ７２やセットトップボックス（ＳＴＢ）７３を使用することが可能になり、受信機７０のローコスト化、小型化およびユーザヘの簡便な取り扱いの提供を実現できる。
【００４５】
なお、本発明はハードウェア装置によって実現できるが、方式が同じであればソフトウェアによる処理でも本発明の伝送方法を実現できる。例えば、ＭＰＥＧデコード処理は所謂パーソナルコンピュータ上のソフトウェアＭＰＥＧデコーダでもよい。また、本発明は、上記のソフトウェアによる処理をコンピュータに実現させるコンピュータプログラムも包含するものである。このコンピュータプログラムは、媒体に記録されているものを再生してもよいし、ネットワークを通じて配信されたものを使用するようにしてもよい。コンピュータは送信機と受信機のそれぞれに設けられている。
【００４６】
【発明の効果】
以上説明したように、本発明によれば、受信した第２のパケットから第１のパケットを再合成し、再合成した第１のパケットの時間間隔を第１のパケット内の同期信号に基づいて、送信側と同じ時間間隔に再生することにより、ネットワークの伝送の際に生じる第１のパケットの遅延時間の揺らぎを吸収するようにしたため、第１のパケットを安定して送受信することができ、これにより第１のパケットに格納されている符号化データを安定に復号して、画像、音声、データ等の元の情報信号を正確に復元することができる。
【図面の簡単な説明】
【図１】本発明の一実施の形態の構成図である。
【図２】図１の送信機の動作説明用タイムチャートである。
【図３】図１の受信機内のＴＣＰ／ＩＰインタフェースの入出力パケットを示す図である。
【図４】図１中のジッタ吸収回路の一実施の形態のブロック図である。
【図５】図４の動作説明用タイムチャートである。
【図６】本発明の他の実施の形態のシステム構成図である。
【図７】本発明の更に他の実施の形態のシステム構成図である。
【図８】従来の一例のシステム構成図である。
【符号の説明】
１１  ＮＴＳＣカメラ
１２  マイク
２３  テレビジョン受像機（ＴＶ）
３０、５０  送信機
３１  ＭＰＥＧ２エンコーダ
３２、４１  ＴＣＰ／ＩＰインタフェース
４０、６０、７０  受信機
４２  ジッタ吸収回路
４３  ＭＰＥＧデコーダ
５１  ＶＧＡイメージセンサ
５２  ＩＰスキャンコンバート
５３  送信ユニット
６１  受信ユニット
７１  １３９４インタフェース
７２  ディジタルＶＴＲ
７３  セットトップボックス（ＳＴＢ）
４２１  ＦＩＦＯメモリ
４２２  同期分離回路
４２３  位相比較器
４２４  低域フィルタ（ＬＰＦ）
４２５  電圧制御型水晶発振器（ＶＣＸＯ）
４２６、４２７  分周回路
【図１】
2004356858.tif 000003
【図２】
2004356858.tif 000004
【図３】
2004356858.tif 000005
【図４】
2004356858.tif 000006
【図５】
2004356858.tif 000007
【図６】
2004356858.tif 000008
【図７】
2004356858.tif 000009
【図８】
2004356858.tif 000010